(57)【要約】【課題】パラメータの設定可能な全体範囲のうち現在設定されている箇所を迅速、確実かつ簡単に認識することができるようにすること。【解決手段】この発明による音響信号処理装置（ミキサー）のパラメータ表示部は、複数の発光タイプの表示素子（ＬＥＤ）Ｌａ〜Ｌｃを用いて１つのパラメータ（チャンネルグループ設定パラメータ）の値を表示し、操作子（オンスイッチ）Ｂｔの設定操作により当該パラメータが設定されて装置本体が動作している間は、設定可能な全パラメータ範囲の表示素子Ｌａ〜Ｌｃが表示動作をしている。その際、設定された内容に該当する表示素子〔（２）＝Ｌａ，（３）＝Ｌｂ，（４）＝Ｌｃ〕は、第１の表示態様（明点灯）で表示し、また、設定された内容に該当しない他の表示素子〔（２）＝Ｌｂ・Ｌｃ，（３）＝Ｌａ・Ｌｃ，（４）＝Ｌａ・Ｌｂ〕は、第２の表示態様（暗点灯）で表示するように制御される。【選択図】図４
2004252016.tif 000002
【特許請求の範囲】
【請求項１】
複数の表示素子を用いて１つのパラメータの値を表示するパラメータ表示部を備える音響信号処理装置において、
パラメータの値を設定するパラメータ設定手段と、
複数の表示素子のうち、設定されたパラメータの値に対応する表示素子を、第１の表示態様で表示する第１表示制御手段と、
複数の表示素子のうち他の表示素子を第２の表示態様で表示する第２表示制御手段と
を具備することを特徴とするパラメータ表示部の制御装置。
【請求項２】
複数の表示素子を用いて１つのパラメータの値を表示するパラメータ表示部を備える音響信号処理装置に対して、
パラメータの値を設定するステップと、
複数の表示素子のうち、設定されたパラメータの値に対応する表示素子を、第１の表示態様で表示するステップと、
複数の表示素子のうち他の表示素子を第２の表示態様で表示するステップと
から成る手順を実行させるためのパラメータ表示部の制御プログラム。
【発明の詳細な説明】
【０００１】
【発明の属する技術分野】
この発明は、ディジタルオーディオミキサー等の音響信号処理装置において、複数の表示素子を用いて動作設定状態に関するパラメータを表示するパラメータ表示部を制御するための制御装置及びプログラムに関する。
【０００２】
【従来の技術】
例えば、ディジタルオーディオミキサーなどの音楽音響信号処理装置においては、従来より、入力チャンネル又は出力チャンネルの操作子ごとにチャンネルグループ（ＣＨＧ）への割当て（アサイン）状況を表わすＬＥＤランプを配置した表示パネルを備えているものがある。この表示パネルには、各チャンネル操作子の近傍にＣＨＧのグループ数と同数のＬＥＤランプが並べられ、アサイン中のＣＨＧに対応するＬＥＤランプだけがが点灯され、それ以外のＣＨＧに対応するＬＥＤランプは消灯となる。
【０００３】
しかしながら、このような表示方法では、各チャンネルが割り当てられているチャンネルグループ（ＣＨＧ）のＬＥＤランプのみが点灯されるだけで、他のＣＨＧのＬＥＤランプが消灯されているために、現在点灯されているＬＥＤランプが全体のＬＥＤランプのうちの何番目のものであるかが分かりにくく、従って、何番のＣＨＧに割り当てられているかを迅速に認識することができない。特に、暗がりで装置本体を利用しているときにはその不都合が際立つ。
【０００４】
【発明が解決しようとする課題】
この発明は、このような従来技術の不都合に鑑み、複数の表示素子により１つのパラメータの値を表示するパラメータ表示部について、パラメータの設定可能な全体範囲のうち現在設定されている箇所を迅速、確実かつ簡単に認識することができるようにすることを目的とする。
【０００５】
【課題を解決するための手段】
この発明の主たる特徴に従うと、複数の表示素子（Ｌａ〜Ｌｃ；Ｌ１〜Ｌｎ）を用いて１つのパラメータの値を表示するパラメータ表示部（図２・図４；図５）を備える音響信号処理装置において、パラメータの値を設定するパラメータ設定手段（Ｍ２）と、複数の表示素子（Ｌａ〜Ｌｃ；Ｌ１〜Ｌｎ）のうち、設定されたパラメータの値に対応する表示素子を、第１の表示態様（明点灯）で表示する第１表示制御手段（Ｍ４）と、複数の表示素子のうち他の表示素子を第２の表示態様（暗点灯）で表示する第２表示制御手段（Ｍ５）とを具備するパラメータ表示部の制御装置〔請求項１〕、並びに、複数の表示素子（Ｌａ〜Ｌｃ；Ｌ１〜Ｌｎ）を用いて１つのパラメータの値を表示するパラメータ表示部（図２・図４；図５）を備える音響信号処理装置に対して、パラメータの値を設定するステップ（Ｍ２）と、複数の表示素子（Ｌａ〜Ｌｃ；Ｌ１〜Ｌｎ）のうち、設定されたパラメータの値に対応する表示素子を、第１の表示態様（明点灯）で表示するステップ（Ｍ４）と、複数の表示素子のうち他の表示素子を第２の表示態様（暗点灯）で表示するステップ（Ｍ５）とから成る手順を実行させるためのパラメータ表示部の制御プログラム〔請求項２〕が提供される。なお、括弧書きは、理解の便のため実施例の参照記号等を例示したもので、以下においても同様である。
【０００６】
〔発明の作用〕
この発明によると、パラメータ表示部において、１つのパラメータの値を表わすための複数の表示素子（Ｌａ〜Ｌｃ；Ｌ１〜Ｌｎ）は、装置本体の動作中、設定された内容に該当する表示素子〔図４（２）＝Ｌａ；図５（２）＝Ｌ１〜Ｌｊ〕を第１の表示態様（例えば、明点灯）で表示すると共に（Ｍ４）、設定された内容に該当しない他の表示素子〔図４（２）＝Ｌｂ・Ｌｃ；図５（２）＝Ｌｊ＋１〜Ｌｎ〕については、第２の表示態様（例えば、暗点灯）で表示するようにしている。従って、全表示素子（Ｌａ〜Ｌｃ；Ｌ１〜Ｌｎ）が何れかの表示態様で表示されるため、パラメータの設定可能な全体範囲を容易に把握することができ、第１の表示態様の表示素子から、この全体範囲のうち、どこに（どこまで）設定されているかを、迅速、確実かつ簡単に、認識することができるという特有の効果が得られる。また、表示素子として発光要素を用いることで、特に、暗がりで装置本体を利用するときには際立った効果を発揮する。
【０００７】
【発明の実施の形態】
〔ハードウエア構成〕
図１は、この発明の一実施例によるパラメータ表示制御が適用されるディジタルオーディオミキサーのハードウエア構成のブロック図を示す。図１において、ディジタルオーディオミキサーＡは、中央処理装置（ＣＰＵ）１、ランダムアクセスメモリ（ＲＡＭ）２、読出専用メモリ（ＲＯＭ）３、外部記憶装置４、検出回路５、表示回路６、信号処理回路７、オーディオ入出力インターフェース（Ｉ／Ｆ）８及び通信インターフェース（Ｉ／Ｆ）９などを備え、これらの装置１〜９は通信バス１０を介して互いに接続されている。
【０００８】
ＣＰＵ１、ＲＡＭ２、ＲＯＭ３、外部記憶装置４、検出回路５及び表示回路６は、検出回路５に接続される操作子装置１１及び表示回路６に接続される表示部１２と共にミキサーＡのコントロールセクションＡ１を構成する。ＣＰＵ１は、所定のソフトウエア・プログラムに従ってミキサーＡ全体を管制する。例えば、信号処理回路７によるミキシング処理を管理し、特に、ミキサーの動作状態を表わす各種パラメータを表示するためのパラメータ表示部の制御処理を遂行する。
【０００９】
ＲＯＭ３には、所定の制御プログラムが記憶されており、これらの制御プログラムには、通常のミキシング処理やパラメータ表示部の制御のための処理に関する各種プログラムの外、これらの処理に付随する各種テーブル及び各種データが含まれる。ＲＡＭ２には、これらの処理に際して利用されるフラグやバッファなどの情報が記憶される。また、外部記憶装置４は、ハードディスク（ＨＤ）、コンパクトディスク・リード・オンリィ・メモリ（ＣＤ−ＲＯＭ）、フロッピィディスク（ＦＤ）、光磁気（ＭＯ）ディスク、ディジタル多目的ディスク（ＤＶＤ）、メモリカード（ＰＣカード）等の記憶媒体が用いられ、各種制御プログラムや各種データを記憶することができる。
【００１０】
操作子装置１１は、ミキシングやパラメータ設定のためのスイッチ、ダイヤル、フェーダ（スライダー）等の操作子（Ｂｔ，Ｄｉ，Ｆｅ等々）が含まれ、例えば、ミキサーＡの装置本体の操作パネル等に設けられる。検出回路５は、操作子装置１１のユーザ操作に応じて設定される各種パラメータ等の制御データを表示回路６及び信号処理回路７に送る。表示部１２は、操作パネル上に設けられたディスプレイ（ＤＰ）、ＬＥＤランプ（Ｌａ〜Ｌｃ）、各種インジケータ等を備え、表示回路６は、検出回路５や通信Ｉ／Ｆ９からの制御データに基づく内容を表示部１２に表示させる。
【００１１】
信号処理回路７は、ＤＳＰエンジンを主要素とした処理回路であり、ミキサーＡの信号処理の中枢部である信号処理セクションＡ２を構成する。この回路は、操作子装置１１の操作に基づく設定状態に応じて、オーディオ入出力Ｉ／Ｆ８からの複数チャンネルの入力オーディオ信号を処理し、処理された各チャンネルの出力オーディオ信号を入出力Ｉ／Ｆ８に返す。オーディオ入出力Ｉ／Ｆ８は、アナログディジタル（Ａ／Ｄ）変換器及びディジタルアナログ（Ｄ／Ａ）変換器を備え、ミキサーＡの入出力（Ｉ／Ｏ）セクションＡ３を構成し、外部オーディオ入出力機器Ｂとの間で複数チャンネルの入出力オーディオ信号を中継する。
【００１２】
つまり、オーディオ入出力Ｉ／Ｆ８は、複数チャンネル（ＣＨ）分のオーディオ信号を外部オーディオ入出力機器Ｂから入力して信号処理回路７に送る。信号処理回路７は、検出回路５から制御データを受け取り、受け取った制御データに基づいて、オーディオ入出力Ｉ／Ｆ８から受け取る入力オーディオ信号を信号処理（ミキシング）する。そして、信号処理回路７は、ミキシングした結果の出力オーディオ信号をオーディオ入出力Ｉ／Ｆ８に送り、入出力Ｉ／Ｆ８は、信号処理回路７から受け取るオーディオ信号を外部オーディオ入出力機器Ｂに送る。
【００１３】
なお、通信Ｉ／Ｆ９は、ミキサーＡの付加的制御セクションＡ４を構成し、外部制御機器Ｃから通信Ｉ／Ｆ９を介して制御データを含む各種データや制御プログラムを受信して上述の信号処理に供することができる。さらに、外部制御機器Ｃは、ローカルエリアネットワーク（ＬＡＮ）やインターネット、電話回線等の通信ネットワークを介して接続することもできる。これにより、ＲＯＭ３に制御プログラムが記憶されていない場合、外部記憶装置（ＨＤやＣＤ−ＲＯＭ）４に制御プログラムやデータを記憶させてＲＡＭに読み込んだり、通信ネットワークを介しサーバコンピュータと接続してサーバコンピュータＣから制御プログラムやデータをダウンロードすることで、ＲＯＭ３に制御プログラムやデータを記憶している場合と同様の動作をＣＰＵ１にさせることができる。
【００１４】
〔操作パネルの構成例〕
図２は、この発明の一実施例によるディジタルオーディオミキサーの操作パネルの一構成例を極く概略的に表わす。ディジタルオーディオミキサーＡのコントロールセクションＡ１に対応して設けられた操作パネルは、図２左側のように、複数の入力チャンネルＩＮ１〜ＩＮ５（下段）及び出力チャンネルＯＵＴ１〜ＯＵＴ５（上段）別に、操作子装置１１に含まれるフェーダ（１次元操作）Ｆｅ、ダイヤル（回転操作）Ｄｉ、オンスイッチ（押ボタン操作）Ｂｔ等の操作子や、表示部１２に含まれる複数の表示素子Ｌａ〜Ｌｃを備えており、各入出力チャンネル毎に入出力チャンネル（ＣＨ）コントローラ１〜５が構成される。
【００１５】
この操作パネルには、図２右側に示すように、ミキサーＡの動作状態を全体的に表示／設定するためのディスプレイＤＰや、方向キー、ロータリエンコーダ等の操作子（上中段）の外に、チャンネルグループ（ＣＨＧ）コントローラ部（下段）が設けられる。この例では、ＣＨＧコントローラ部は、複数（この例では、“３”）のＣＨＧコントローラＡ〜Ｃから成り、各コントローラに設けられたフェーダＦｅの操作により、夫々のチャンネルグループＣＨＧＡ〜ＣＨＧＣに割り当てられている入出力チャンネルの音量レベルを同時に変更することができる。
【００１６】
各入出力チャンネルＩＮ１〜ＩＮ５，ＯＵＴ１〜ＯＵＴ５のＣＨコントローラにおいて、チャンネルグループ切換え用のオンスイッチ（“ＯＮ”）Ｂｔは、当該チャンネルを所望のチャンネルグループＣＨＧＡ〜ＣＨＧＣに割り当てるのに用いられ、操作ごとに、当該チャンネルに割り当てられるチャンネルグループが、順次、１つずつ歩進される。また、各入出力ＣＨコントローラにおける複数（この例では、“３”）の表示素子Ｌａ〜Ｌｃは、夫々チャンネルグループＣＨＧＡ〜ＣＨＧＣに対応しており、全体としては、ＣＨＧ設定パラメータ表示部として機能し、１つのパラメータ、つまり、当該入出力チャンネルについてチャンネルグループの設定（割当て）状態を示すＣＨＧ設定パラメータを表示する。
【００１７】
各表示素子Ｌａ〜Ｌｃには、２種類の表示態様で点灯できる発光要素が用いられ、この例では、このような発光表示素子としてＬＥＤランプが使用される。各入出力チャンネルのＬＥＤランプＬａ〜Ｌｃは、例えば、第１の表示態様（点灯態様）では明るく点灯させ（明点灯という）、第２の表示態様（点灯態様）では、比較的暗く、即ち、薄暗く点灯させる（暗点灯という）ことができる。
【００１８】
また、オンスイッチＢｔの操作によりチャンネルグループ割当てが生じると、或る入出力チャンネルのＬＥＤランプＬａ〜Ｌｃの何れか１つ（例えば、Ｌａ）が明点灯し、これに対応するチャンネルグループＣＨＧＡ〜ＣＨＧＣの何れか（同、ＣＨＧＡ）に当該入出力チャンネルが割り当てられていることを表示する。このとき、他のＬＥＤランプ（同、Ｌｂ，Ｌｃ）は、暗点灯して、現在、対応するチャンネルグループ（同、ＣＨＧＢ，ＣＨＧＣ）に割り当てられていないことを表示し、全ＬＥＤランプＬａ〜Ｌｃは、明暗何れかのが動作状態にあって、割当て設定可能な全チャンネルグループＣＨＧＡ〜ＣＨＧＣの範囲を表示する。
【００１９】
〔パラメータ表示部の制御〕
図３は、この発明の一実施例によるパラメータ表示部の制御に係るメイン処理の動作例を表わすフローチャートである。この処理フローがスタートすると、表示制御対象パラメータの内容を変更する指示を検出したか否かを判定する（ステップＭ１）。なお、表示制御対象パラメータとは、表示制御を行なう必要のあるパラメータ、即ち、複数の表示素子Ｌａ〜Ｌｃを用いて設定内容が提示されるパラメータを意味する。図２の例では、表示制御対象パラメータの代表例として、現在設定されているチャンネルグループ（ＣＨＧ）の割当て状態を表わすＣＨＧ設定パラメータが挙げられており、また、その内容を「変更する指示」として、ＣＨＧ設定を変更するためのオンスイッチＢｔが操作されたことを検出する。以下、必要に応じて、図２の例で該当する内容を括弧“〔〕”内に付記する。
【００２０】
さて、このような「変更の指示」〔Ｂｔ操作〕を検出したときは（Ｍ１→ＹＥＳ）、今回の変更対象であるパラメータ〔ＣＨＧ設定パラメータ〕について、指示の内容に対応する新たな設定値〔ＣＨＧ割当て〕を決定する（ステップＭ２）。次いで、新たな設定値がパラメータ表示部〔ＣＨＧ設定パラメータ表示部〕では何ら表示を要しない設定値であるか否かを判定する（ステップＭ３）。
【００２１】
新たな設定値〔例えば、ＣＨＧＢ〕がパラメータ表示部に表示すべき設定値であると判定したときは（Ｍ３→ＮＯ）、変更対象のパラメータの表示部〔ＣＨＧ設定パラメータ表示部〕のうち、新たな設定値〔ＣＨＧＢ〕に対応する部分の表示素子〔Ｌｂ〕を第１の表示態様（方法）で表示し（ステップＭ４）、さらに、変更対象のパラメータの表示部のうち、新たな設定値〔ＣＨＧＢ〕に対応しない他の表示素子〔Ｌａ，Ｌｃ〕を第２の表示態様で表示する（ステップＭ５）。
【００２２】
一方、新たな設定値〔ＣＨＧ割当て解除〕がパラメータ表示部に表示すべき設定値でないと判定したときは（Ｍ３→ＹＥＳ）、変更対象のパラメータの表示部を構成する全ての表示素子〔Ｌａ〜Ｌｃ〕を消灯する（ステップＭ６）。そして、表示素子の表示又は消灯処理の後は（Ｍ５，Ｍ６）、表示制御対象パラメータの設定内容に合わせて信号処理回路７の設定を変更する（ステップＭ７）。
【００２３】
表示制御対象パラメータの内容変更指示を検出しなかったとき（Ｍ１→ＮＯ）、或いは、信号処理回路７の設定変更処理の後は（Ｍ７）、表示制御対象以外のパラメータの変更など、必要に応じたその他の処理を行う（ステップＭ８）。ここで、メイン処理の終了（ミキサの停止）の指示を検出したか否かを判定し（ステップＭ９）、終了指示が無ければ（Ｍ９→ＮＯ）、表示制御対象パラメータに関する内容変更指示の検出ステップ（Ｍ１）に戻り、終了指示があるまで、上述した処理（Ｍ１〜Ｍ９）を繰り返す。そして、終了指示があると（Ｍ９→ＹＥＳ）、このメイン処理を終了する。
【００２４】
図４は、この発明の一実施例による表示部の表示変更例を表わす図であり、図２において、任意の入力チャンネルＩＮｘ（ｘ＝１〜５）の入力ＣＨコントローラｘのオンスイッチＢｔを操作すると、図３の処理フローに従い、当該入力チャンネルＩＮｘに対するチャンネル割当てを変更し、これに対応してＣＨＧ設定パラメータ表示部におけるＬＥＤランプＬａ〜Ｌｃの表示態様が変更される遷移過程を表わしている。また、各ＬＥＤランプＬａ〜Ｌｃの空白、黒塗り及び斜線塗りは、それぞれ、当該ランプの消灯、明点灯（完全点灯）及び暗点灯を表わす。
【００２５】
まず、図４（１）は、入力チャンネルＩＮｘにチャンネルグループ（ＣＨＧ）が割り当てられていない状態であり、ＣＨＧ設定パラメータ表示部の全ＬＥＤランプＬａ〜Ｌｃが消灯している。ここで、オンスイッチＢｔを操作すると（Ｍ１→ＹＥＳ）、先ず、当該チャンネルＩＮｘは、図４（２）のように、チャンネルグループＣＨＧＡに割り当てる設定がなされて（Ｍ２）ＬＥＤランプＬａが明点灯し（Ｍ４）、他のＬＥＤランプＬｂ，Ｌｃは暗点灯状態となる（Ｍ５）。このＬＥＤランプＬａの明点灯によって、当該チャンネルＩＮｘが現在チャンネルグループＣＨＧＡに割り当てられていることを表示し、このとき、チャンネルグループＣＨＧＡのコントローラによって音量レベルを調整することができるように信号処理回路７の設定を変更している。
【００２６】
以下、オンボタンＢｔを操作する毎に（Ｍ１→ＹＥＳ）、チャンネルＩＮｘは、図４（３），（４）に示すように、順次、チャンネルグループＣＨＧＢ；ＣＨＧＣに割当て設定が変更されて（Ｍ２）表示素子Ｌｂ；Ｌｃが明点灯し（Ｍ４）、他のＬＥＤランプＬａ，Ｌｃ；Ｌａ，Ｌｂは暗点灯となり（Ｍ５）、明点灯している表示素子Ｌｂ；Ｌｃにより、チャンネルグループＣＨＧＢ；ＣＨＧＣのコントローラでレベル調整されることを示す。そして、最終のＣＨＧＣに対応する表示素子Ｌｃが明点灯しているときにボタンＢｔを操作すると、図４（５）に示すように、当該チャンネルＩＮｘのチャンネルグループ割当て指定が解除され（Ｍ２）、全てのＬａ〜Ｌｃは元の非点灯状態に戻る（Ｍ３・ＹＥＳ→Ｍ６）。
【００２７】
〔他の実施態様〕
表示制御対象パラメータは、図４の例ではＣＨＧ設定パラメータとしたが、これに限らない。要は、複数の表示素子を用いてパラメータの設定内容を提示するものであればよい。例えば、図５に示されるように、音量など任意のレベルをパラメータとして設定するパラメータ表示部などに適用することができる。図５では、レベル調整用のダイヤルＤｉの操作でレベルを設定する際、その周縁近傍などに多数のＬＥＤランプＬ１〜Ｌｎを配置し、ダイヤル位置に応じて設定されたレベルをＬＥＤランプの明点灯で表示し、他のＬＥＤランプを暗点灯する。従って、全てのＬＥＤランプが明暗何れかで点灯して設定可能な全レベル範囲をユーザに認識させつつ、ＬＥＤランプの明点灯で現在の設定レベルを明確に知らせ、他のＬＥＤランプの暗点灯で残余の設定可能な範囲を知らせることができる。
【００２８】
例えば、図５（１）のようにダイヤルＤｉがゼロ位置にありレベル“ゼロ”が設定されている全ＬＥＤランプの非点灯時に、図５（２）のように、ダイヤルＤｉを中央位置まで回転すると（図３：Ｍ１→ＹＥＳ）、中央位置に応じたレベルが設定される（Ｍ２）と共に、設定レベルに対応するゼロ〜中央位置のＬＥＤランプＬ１〜Ｌｊが明点灯し（Ｍ４）、残りのＬＥＤランプＬｊ＋１〜Ｌｎが暗点灯する（Ｍ５）。次いで、図５（３）；（４）のように、ダイヤルＤｉをゼロ又は最大側の或る位置に更に回転すると（Ｍ１→ＹＥＳ）、更なる回転後位置に応じたレベルが設定され（Ｍ２）、各設定に対応するゼロ〜更なる回転後位置のＬＥＤランプＬ１〜Ｌｋ；Ｌ１〜Ｌｉ（Ｌｉ＜Ｌｊ＜Ｌｋ）が明点灯し（Ｍ４）、他のＬＥＤランプＬｋ＋１〜Ｌｎ；Ｌｉ＋１〜Ｌｎが暗点灯する（Ｍ５）。
【００２９】
〔種々の実施態様〕
以上、図面を参照しつつ、この発明の好適な実施の形態について説明したが、この発明の精神を逸脱しない範囲で種々の変更が可能であって、この発明は種々の態様で実施することができる。例えば、表示制御対象パラメータの内容を変更する（新たな選択肢を選択する）方法として、実施例では、オンスイッチＢｔを用いているが、このようなボタンタイプのスイッチでの操作に限られない。要は、新たな内容を設定できる方法であればよい。例えば、パネル全体の設定を変更できるデータを読み出すことによって内容を変更する方法や、外部制御機器Ｃから制御データを受信し、受信した制御データ中の新たな設定の内容に従って内容を変更する方法などがある。
【００３０】
表示制御対象パラメータの表示態様（方法）は実施例のものに限らない。要は、複数の表示部のうち、設定内容に該当する部分を、第２の表示態様（方法）よりも際立つように強調された第１の表示態様（方法）で表示し、設定内容に該応しない部分を、第１の表示態様に比較して弱く而も消灯とは区別できるような第２の表示態様で表示する方法であればよい。実施例のように、暗と明の２種類の表示態様を使うことは、設定内容の認識に適しているため好ましい一方法ではあるが、この方法以外にも、２種類の表示態様として２つの異なる色を使用したり、２つの異なる点滅の仕方（点灯も含む）を使用する方法なども含まれる。さらに、表示部の表示操作子自体についても、ＬＥＤに限らず、点灯、消灯、点滅などにより設定状態を提示できる発光タイプのものであればよい。
【００３１】
【発明の効果】
以上説明したように、この発明によれば、音響信号処理装置のパラメータ表示部は、複数の発光タイプの表示素子を用いて１つのパラメータの値を表示し、操作子の設定操作により当該パラメータが設定されて装置本体が動作している間は、設定可能な全パラメータ範囲の表示素子が表示動作をしており、その際、設定された内容に該当する表示素子は第１の表示態様で表示し、また、設定された内容に該当しない他の表示素子は第２の表示態様で表示するように制御される。従って、設定可能な全表示素子が何れかの表示態様で表示されることで、パラメータの設定可能な全体範囲を容易に把握しつつ、第１の表示態様の表示素子から、全体範囲の内どの部分に設定されているかを迅速、確実かつ簡単に認識することができるという特有の効果が得られる。また、発光タイプの表示素子を用いることで、特に、暗がりで装置本体を利用するときには際立った効果を発揮する。
【図面の簡単な説明】
【図１】図１は、この発明の一実施例によるパラメータ表示部の制御システムが適用されるオーディオミキサーのハードウエア構成を示すブロック図である。
【図２】図２は、この発明の一実施例によるオーディオミキサーの操作パネル（操作子及び表示部）の一構成例である。
【図３】図３は、この発明の一実施例によるメイン処理の動作例を表わすフローチャートである。
【図４】図４は、この発明の一実施例による表示部の表示変更例を表わす図である。
【図５】図５は、この発明の一実施例による表示部の他の表示例を表わす図である。
【符号の説明】
ＩＮ１〜ＩＮ５，ＯＵＴ１〜ＯＵＴ５  入出力チャンネル（コントローラ）、
ＣＨＧＡ〜ＣＨＧＣ  チャンネルグループ（コントローラ）、
Ｌａ〜Ｌｃ；Ｌ１〜Ｌｎ，Ｌｉ，Ｌｊ，Ｌｋ  パラメータ表示用の表示素子、
Ｂｔ  チャンネルグループ（ＣＨＧ）切換え用のオンスイッチ、
Ｄｉ，Ｆｅ  設定量調整用のダイヤル及びフェーダ。
【図１】
2004252016.tif 000003
【図２】
2004252016.tif 000004
【図３】
2004252016.tif 000005
【図４】
2004252016.tif 000006
【図５】
2004252016.tif 000007